(57)【要約】【課題】収納性に優れた鋏を提供する。【解決手段】第１把持部１１及び第１刃部１３を有する第１鋏片１０と第２把持部２１及び第２刃部２３を有する第２鋏片２０が回動部３０で連結された鋏であって、前記第１鋏片１０は前記第２鋏片２０と分離可能に構成され、前記第１把持部１１及び前記第２把持部２１が前記回動部３０の軸方向に重なった状態とされた収納形態において、前記第１鋏片１０及び前記第２鋏片２０の移動を規制する係合構造４１、４２が設けられている。【選択図】図４
2019180938.tif 000002
【特許請求の範囲】
【請求項１】
第１把持部及び第１刃部を有する第１鋏片と第２把持部及び第２刃部を有する第２鋏片が回動部で連結された鋏であって、
前記第１鋏片は前記第２鋏片と分離可能に構成され、
前記第１把持部及び前記第２把持部が前記回動部の軸方向に重なった状態とされた収納形態において、前記第１鋏片及び前記第２鋏片の移動を規制する係合構造が設けられていることを特徴とする鋏。
【請求項２】
前記係合構造は、前記回動部を中心とした前記第１鋏片及び前記第２鋏片の回動を規制する請求項１に記載の鋏。
【請求項３】
前記係合構造は、前記第１鋏片及び前記第２鋏片のいずれか一方に設けられた凹部と、他方に設けられた凸部である請求項１又は２に記載の鋏。
【発明の詳細な説明】
【技術分野】
【０００１】
本発明は、鋏に関する。
【背景技術】
【０００２】
鋏の利便性を向上させるために種々の工夫がなされている。例えば、鋏を構成する各パーツを分離可能とすることによってその利便性を向上させたものが知られている。特許文献１には、一対の鋏片を構成する把持部及び刃部を分離可能とし、切れ味の悪くなった刃部を研ぎやすくしたり、新しい刃部に取り換えやすくしたりした鋏に係る発明が記載されている。また、特許文献２には、一対の鋏片を分離可能として清掃をし易くするとともに、一方の鋏片を包丁として利用可能とした料理用鋏に係る発明が記載されている。
【先行技術文献】
【特許文献】
【０００３】
【特許文献１】特開２００４−６５５０４号公報
【特許文献２】特開２００４−７３３１０号公報
【発明の概要】
【発明が解決しようとする課題】
【０００４】
しかし、いずれの鋏も、使用時の利便性を向上させることを目的とするものであり、鋏を収納する際の利便性を向上させることを目的とするものではなく、収納性においてはなお改善の余地があるものであった。
【０００５】
本発明の目的は、収納性に優れた鋏を提供することである。
【課題を解決するための手段】
【０００６】
上記の課題を解決するため、本発明は、第１把持部及び第１刃部を有する第１鋏片と第２把持部及び第２刃部を有する第２鋏片が回動部で連結された鋏であって、前記第１鋏片は前記第２鋏片と分離可能に構成され、前記第１把持部及び前記第２把持部が前記回動部の軸方向に重なった状態とされた収納形態において、前記第１鋏片及び前記第２鋏片の移動を規制する係合構造が設けられている。
【０００７】
上記の構成によれば、鋏の使用時には、第１鋏片と第２鋏片は回動部を中心として回動可能とされ、使用者が第１把持部と第２把持部を把持して回動させることにより、第１刃部と第２刃部とで物を切断することができる。一方、第１鋏片及び第２鋏片を分離して、第１把持部及び第２把持部が回動部の軸方向に重なった状態とされた収納形態とすることができる。収納形態では、鋏の幅寸法が小さくなり、鋏全体をコンパクトにすることができる。また、鋏には、収納形態において、第１鋏片と第２鋏片の移動が規制される係合構造が設けられている。そのため、第１鋏片及び第２鋏片は、第１把持部及び第２把持部が回動部の軸方向に重なった状態に維持される。これにより、コンパクトな状態で持ち運びしやすく、利便性に優れた鋏が得られる。
【０００８】
上記の構成において、前記係合構造は、前記回動部を中心とした前記第１鋏片及び前記第２鋏片の回動を規制することが好ましい。
上記の構成において、前記係合構造は、前記第１鋏片及び前記第２鋏片のいずれか一方に設けられた凹部と、他方に設けられた凸部であることが好ましい。
【発明の効果】
【０００９】
本発明によれば、収納性に優れた鋏が得られる。
【図面の簡単な説明】
【００１０】
【図１】（ａ）は使用状態の鋏を第１面側から見た図、（ｂ）は使用状態の鋏を第２面側から見た図、（ｃ）は使用状態の鋏の側面図。
【図２】（ａ）は第１鋏片を第１面側から見た図、（ｂ）は回動部が取り付けられていない状態の第２鋏片を第２面側から見た図。
【図３】（ａ）は回動部の部分拡大図、（ｂ）は（ａ）のβ‐β線断面図、（ｃ）は（ａ）のγ‐γ線断面図。
【図４】（ａ）は第１鋏片と第２鋏片が分離可能な状態とされた斜視図、（ｂ）は収納状態の鋏の斜視図、（ｃ）は収納状態の鋏の側面図。
【図５】変更例の鋏について説明する図。（ａ）は使用状態の鋏を第１面側から見た斜視図、（ｂ）は使用状態の鋏の分解側面図。
【図６】変更例の鋏の収納状態の斜視図。
【図７】変更例の鋏について説明する図、（ａ）は使用状態の鋏を第１面側から見た部分斜視図、（ｂ）は収納状態の鋏の部分側面図。
【発明を実施するための形態】
【００１１】
以下、本発明を具体化した一実施形態について図１〜図４に従って説明する。
図１（ａ）に示すように、本実施形態の鋏は、第１鋏片１０及び第２鋏片２０が、回動部３０の軸線周りに回動可能に連結されている。
【００１２】
図１（ａ）に示すように、第１鋏片１０は、基端側に設けられた合成樹脂製の第１把持部１１と先端側に設けられた金属製の第１刃部１３を有している。第１把持部１１は、鋏の使用時に使用者が把持する部分であり、第１把持部１１の略中央部分には、親指を挿入して支持するための第１指掛孔１２が形成されている。本実施形態の鋏では、第１把持部１１及び第１刃部１３は、合成樹脂製の第１把持部１１の先端部に、金属製の第１刃部１３の基端部が挿入された状態で分離不能に固定されている。
【００１３】
同様に、第２鋏片２０は、基端側に設けられた合成樹脂製の第２把持部２１と先端側に設けられた金属製の第２刃部２３を有している。第２把持部２１の略中央部分には、人差し指や中指等を挿入して支持するための第２指掛孔２２が形成されている。第２把持部２１及び第２刃部２３は、合成樹脂製の第２把持部２１の先端部に、金属製の第２刃部２３の基端部が挿入された状態で分離不能に固定されている。
【００１４】
図１（ａ）〜図１（ｃ）に示すように、第１鋏片１０及び第２鋏片２０は、使用状態では、第１刃部１３の第２面１３ｂと第２刃部２３の第１面２３ａが対向した状態で連結されている。以下の説明では、便宜上、図１（ａ）に示されている面を第１鋏片１０の第１面１０ａ及び第２鋏片２０の第１面２０ａと言い、その反対側の面、つまり、図１（ｂ）に示されている面を第１鋏片１０の第２面１０ｂ及び第２鋏片２０の第２面２０ｂと言うものとする。第１把持部１１、第１刃部１３、第２把持部２１、第２刃部２３についても同様であり、図１（ａ）に示されている面を第１面と言い、部材番号に「ａ」をつけて示し、図１（ｂ）に示されている面を第２面と言い、部材番号に「ｂ」をつけて示すものとする。また、図１（ａ）〜図１（ｃ）の左側を鋏の先端側、右側を鋏の基端側と言うものとする。
【００１５】
図１（ｃ）に示すように、合成樹脂製の第１把持部１１は、所定の厚みを有している。厚みは特に限定されないが、例えば、約５〜１０ｍｍ程度とされている。第１把持部１１の先端部の厚み方向中間部分には第１刃部１３の基端部が挿入された状態で固定されている。なお、図１（ｃ）は、図１（ａ）及び図１（ｂ）に示される鋏を、第１把持部１１側から見た側面図を示している。
【００１６】
図１（ｃ）に示すように、第１把持部１１の第１面１１ａ及び第２面１１ｂは平坦面として形成されており、第１把持部１１の外周縁及び内周縁（第１指掛孔１２の周縁）は、やや丸みを帯びた形状とされている。第２把持部２１も第１把持部１１と同様の形状とされている。
【００１７】
図１（ａ）に示すように、第１把持部１１の第１面１１ａであって第１指掛孔１２の先端側には、後に説明する係合構造の係合部を構成する凸部４１が形成されている。凸部４１は、第１把持部１１の第１面１１ａから外方に向かって突出している。凸部４１の形状、大きさは特に限定されないが、本実施形態の凸部４１は略円柱形状に形成され、第１把持部１１の第１面１１ａから約０．５〜２．０ｍｍ程度の突出長とされている。
【００１８】
図１（ａ）に示すように、第２把持部２１の第１面２１ａであって第２指掛孔２２の先端側には、後に説明する係合構造の被係合部を構成する凹部４２が形成されている。凹部４２は、第２把持部２１の第１面２１ａから内方に向かって凹んでいる。凹部４２の形状は、凸部４１と同形状であり、その大きさは、凸部４１より僅かに大きく形成されている。
【００１９】
図１（ｃ）に示すように、第１把持部１１の先端部に固定された第１刃部１３は、所定厚みで所定形状の板材を曲げ加工して形成されている。本実施形態では、第１刃部１３の厚みは約１．５〜２．０ｍｍ程度とされている。第１刃部１３は、先端側の第１先端側平坦部１４と基端側の第１基端側平坦部１５が、第１傾斜部１６を介して連設された形状とされている。そして、第１基端側平坦部１５が、約５〜１０ｍｍ程度の厚みを有する第１把持部１１の厚み方向中間部分に挿入された状態で固定されている。同様に、第２把持部２１の先端部に固定された第２刃部２３は、約１．５〜２．０ｍｍ厚で所定形状の板材を曲げ加工して形成されており、先端側の第２先端側平坦部２４と基端側の第２基端側平坦部２５が、第２傾斜部２６を介して連設された形状とされている。
【００２０】
図２（ａ）に示すように、第１刃部１３の第１先端側平坦部１４の側縁には、第１刃部１３の板厚を薄くしてなる第１切断部１７が形成されている。また、図２（ｂ）に示すように、第２刃部２３の第２先端側平坦部２４の側縁には、第２刃部２３の板厚を薄くしてなる第２切断部２７が形成されている。図１（ａ）及び図１（ｂ）に示す鋏の使用状態では、第１刃部１３の第１切断部１７と第２刃部２３の第２切断部２７は対向配置されて、被切断物を切断することができる。
【００２１】
図２（ａ）に示すように、第１刃部１３の第１先端側平坦部１４の基端部には、後に説明する回動部３０が取り付けられる第１軸孔１８が貫設形成されている。第１軸孔１８の断面形状は、後に説明する回動部３０の頭部３１の断面及び第１軸部３２の断面を投影した形状と同じであり、回動部３０の頭部３１及び第１軸部３２の投影形状よりわずかに大きく形成されている。具体的には、第１軸孔１８は、回動部３０の断面略長方形状の頭部３１の断面と同形状である長方形部分１８ａと、回動部３０の断面円形状の第１軸部３２の断面と同形状である円形部分１８ｂが重ね合された形状とされている。
【００２２】
図２（ａ）及び図３（ａ）に示すように、第１軸孔１８の周辺部には、第１軸孔１８の長手方向の長さ（長方形部分１８ａの長手方向の長さ）と略同じか僅かに大きい径を有する断面円形状の凹部１９が形成されている。図３（ｂ）及び図３（ｃ）に示すように、凹部１９は、第１刃部１３の第１面１３ａ側に形成された第１凹部１９ａと、第１刃部１３の第２面１３ｂ側に形成された第２凹部１９ｂを有している。
【００２３】
また、図２（ｂ）に示すように、第２刃部２３の第２先端側平坦部２４の基端部には、第２軸孔２８が貫設形成されている。第２軸孔２８の断面形状は、２箇所が欠けた断面欠円形状とされており、第２軸孔２８内にはあらかじめ回動部３０が取り付けられている。なお、実際の第２鋏片２０には、あらかじめ回動部３０が取り付けられているが、図２（ｂ）では、第２鋏片２０に取り付けられた回動部３０を省略して示している。
【００２４】
図３（ａ）及び図３（ｂ）に示すように、回動部３０は、金属製であり、断面略長方形状の頭部３１と、頭部３１の長手方向の長さより小径で、かつ、頭部３１の短手方向の長さより大径の断面円形状の第１軸部３２と、２箇所が欠けた断面欠円形状の第２軸部３３と、第２軸部３３の先端部がかしめられてなるかしめ部３４が一体に連設された形状とされている。図３（ｂ）及び図３（ｃ）に示すように、断面円形状の第１軸部３２の径と、断面欠円形状の第２軸部３３の径は同径とされており、断面欠円形状の第２軸部３３は断面円形状の対向する２箇所が切り欠かれた形状とされている。本実施形態の回動部３０は、第２鋏片２０の第２面２０ｂ側にかしめ部３４が形成されることにより、第２鋏片２０に分離不能に固定されている。
【００２５】
頭部３１は、第１刃部１３に形成された第１軸孔１８のうち、長手方向に延びる断面略長方形状の長方形部分１８ａと同形状で、かつ、わずかに小さく形成されている。第１軸部３２は、第１刃部１３に形成された第１軸孔１８のうち、断面円形状の円形部分１８ｂと同形状で、かつ、わずかに小径に形成されている。
【００２６】
図１（ａ）〜図１（ｃ）に示す鋏の使用状態では、第１刃部１３の第２面１３ｂと第２刃部２３の第１面２３ａが対向して重ね合された状態で、第１刃部１３の第１面１３ａ側の第１凹部１９ａ内に、回動部３０の頭部３１が収容されている。このとき、回動部３０の断面略長方形状の頭部３１は、第１軸孔１８の断面略長方形状の長方形部分１８ａに対して、交差するように位置している。そのため、第１鋏片１０は、第２鋏片２０に取り付けられた回動部３０の頭部３１が、第１凹部１９ａ内で抜け止め状態となって第２鋏片２０に連結されている。
【００２７】
図３（ｂ）及び図３（ｃ）に示すように、この状態では、第２鋏片２０に取り付けられた回動部３０は、回動部３０の断面円形状の第１軸部３２が第１軸孔１８の断面円形状の円形部分１８ｂ内に位置している。また、第１軸部３２は、第１軸孔１８の断面円形状の円形部分１８ｂよりわずかに小径とされている。そのため、第１鋏片１０は、回動部３０に対して相対回転可能とされ、第２鋏片２０は、回動部３０に対して相対回転不能とされている。
【００２８】
次に、鋏を収納形態にする場合について図４に従ってその作用とともに説明する。
鋏を収納形態にするには、まず、図４（ａ）に示すように、第１鋏片１０の第１切断部１７と第２鋏片２０の第２切断部２７が離間するように、第２鋏片２０に対して第１鋏片１０を回動する。このとき、第２鋏片２０に取り付けられた回動部３０の頭部３１の長手方向と、第１鋏片１０に形成された第１軸孔１８の長方形部分１８ａの長手方向が合致するまで回動する。回動部３０の頭部３１は、第１軸孔１８の長方形部分１８ａと同形状で、かつ、わずかに小さく形成されているため、第１軸孔１８の長方形部分１８ａは、回動部３０の頭部３１から外れ、第１鋏片１０が第２鋏片２０から分離される。
【００２９】
続いて、図４（ｂ）に示すように、第１鋏片１０を裏返し、第１鋏片１０の第１軸孔１８の長方形部分１８ａを、第２鋏片２０に取り付けられた回動部３０の頭部３１の位置に合わせる。この状態で、第１鋏片１０の第１軸孔１８の長方形部分１８ａ内に、回動部３０の頭部３１を挿入し、第１鋏片１０の第１軸孔１８を回動部３０の第１軸部３２の位置に合わせる。第１鋏片１０の第１軸孔１８の円形部分１８ｂは、回動部３０の第１軸部３２と同形状でわずかに大径に形成されているため、第１鋏片１０は、第２鋏片２０に対して回動する。
【００３０】
図４（ｂ）に示すように、第１鋏片１０の第２鋏片２０に対する回動により、第１把持部１１と第２把持部２１が回動部３０の軸線方向に重なり、第１鋏片１０の第１面１０ａと第２鋏片２０の第１面２０ａが対向した状態とする。この状態では、図４（ｃ）に示すように、第１先端側平坦部１４の第１面１４ａは、第２先端側平坦部２４の第１面２４ａに当接しており、第１把持部１１の第１面１１ａは、第２把持部２１の第１面２１ａと当接している。また、第１鋏片１０の第１切断部１７と第２鋏片２０の第２切断部２７は同じ方向を向いている。そして、平坦面とされた第１把持部１１の第１面１１ａから突出している係合部としての凸部４１は、平坦面とされた第２把持部２１の第１面２１ａに凹設された被係合部としての凹部４２内に収容される。
【００３１】
これにより、第１鋏片１０及び第２鋏片２０は、第１把持部１１及び第２把持部２１が回動部３０の軸方向に重なった状態で、かつ、第１鋏片１０の第１面１０ａと第２鋏片２０の第１面２０ａが対向した状態で連結される。
【００３２】
このとき、回動部３０の断面円形状の第１軸部３２は、第１軸孔１８内の断面円形状の円形部分１８ｂ内に位置している。また、回動部３０の断面略長方形状の頭部３１は、第１軸孔１８の断面略長方形状の長方形部分１８ａに対して、交差するように位置しており、図４（ｂ）に示すように、第１鋏片１０の第２面１０ｂ側の第２凹部１９ｂ内で抜け止め状態となって第２鋏片２０に連結されている。
【００３３】
これにより、第１鋏片１０及び第２鋏片２０は回動部３０により連結され、第１把持部１１及び第２把持部２１が回動部３０の軸方向に重なった状態とされた収納形態とされる。この収納形態では、係合構造としての凸部４１と凹部４２の係合により、第１鋏片１０と第２鋏片２０の回動部３０周りの回動が規制される。
【００３４】
本実施形態の鋏によれば、以下のような効果が得られる。
（１）上記実施形態では、第１鋏片１０に対して第２鋏片２０を回動して、第１鋏片１０に形成された第１軸孔１８の長方形部分１８ａの長手方向が、第２鋏片２０に取り付けられた回動部３０の頭部３１の長手方向に合致すると、第１鋏片１０と第２鋏片２０を分離する。続いて、第２鋏片２０に対して第１鋏片１０を裏返し、第２鋏片２０に取り付けられた回動部３０に第１鋏片１０の第１軸孔１８の長方形部分１８ａを嵌めて第１鋏片１０を回動する。このとき、第１軸孔１８の長方形部分１８ａの長手方向と、回動部３０の頭部３１の長手方向とが交差するようにすると、頭部３１は第１鋏片１０の第２凹部１９ｂ内に収容され、第１鋏片１０と第２鋏片２０が抜け止め状態に連結された収納形態となる。
【００３５】
収納形態とされた鋏は、第１把持部１１及び第２把持部２１が回動部３０の軸方向に重なった状態とされている。そのため、鋏の幅寸法は第１鋏片１０或いは第２鋏片２０の幅寸法と略同一である。使用形態の鋏に比べて鋏の幅寸法が小さくなり、鋏全体をコンパクト化することができる。収納性に優れた鋏が得られる。
【００３６】
（２）収納形態とされた鋏では、第１把持部１１の第１面１１ａに突出形成された凸部４１が、第２把持部２１の第１面２１ａに形成された凹部４２に係合して、回動部３０を中心とする第１鋏片１０及び第２鋏片２０の相対回動が規制されている。そのため、収納状態において、第１刃部１３と第２刃部２３が重なり、第１把持部１１と第２把持部２１が重なった状態が維持されて、第１切断部１７及び第２切断部２７が不用意に露出した状態となることが抑制される。収納性に優れた鋏が得られるとともに、収納形態での安全性が向上し、持ち運びの利便性が向上する。
【００３７】
（３）上記実施形態の鋏では、第１鋏片１０と第２鋏片２０の回動を規制する係合構造は、第１把持部１１に突出形成された凸部４１と第２把持部２１に凹設された凹部４２で構成されている。凸部４１と凹部４２といった簡単な構造で、第１鋏片１０及び第２鋏片２０の相対回動を規制することができる。
【００３８】
（４）第１把持部１１の第１面１１ａは、凸部４１以外の部分は平坦面として形成されており、第２把持部２１の第１面２１ａは、凹部４２以外の部分は平坦面として形成されている。また、収納形態では、第１把持部１１の第１面１１ａと第２把持部２１の第１面２１ａが当接し、第１刃部１３の第１先端側平坦部１４の第１面１４ａと第２刃部２３の第２先端側平坦部２４の第１面２４ａが当接している。そのため、収納状態では、第１鋏片１０と第２鋏片２０との間に隙間が形成されにくく、コンパクトな形状とすることができる。また、第１鋏片１０と第２鋏片２０のガタつきが抑制されて収納形態を安定化することができる。
【００３９】
（５）第１把持部１１は、約５〜１０ｍｍ程度の厚みを有するとともに、第２把持部２１も、約５〜１０ｍｍ程度の厚みを有している。そのため、使用者が把持する第１把持部１１及び第２把持部２１が適度な厚みを有しており、使い心地が良好である。
【００４０】
（６）第１刃部１３は、先端側の第１先端側平坦部１４と基端側の第１基端側平坦部１５が、第１傾斜部１６を介して連設された形状とされており、第１把持部１１の厚み方向中間部分に挿入された状態で固定されている。また、第２刃部２３は、先端側の第２先端側平坦部２４と基端側の第２基端側平坦部２５が、第２傾斜部２６を介して連設された形状とされており、第２把持部２１の厚み方向中間部分に挿入された状態で固定されている。そのため、鋏を収納形態にした場合であっても、第１把持部１１と第２把持部２１が重なった状態での厚みが、第１傾斜部１６及び第２傾斜部２６によって吸収され、第１先端側平坦部１４と第２先端側平坦部２４の第１面２４ａを当接した状態とすることができる。
【００４１】
（７）回動部３０は断面略長方形状の頭部３１と頭部３１に連設された断面円形状の第１軸部３２を有し、第２鋏片２０にあらかじめ取り付けられている。第１鋏片１０に形成された第１軸孔１８は、頭部３１と同形状の長方形部分１８ａと第１軸部３２と同形状の円形部分１８ｂが重なった形状に形成されている。そのため、第１鋏片１０を第２鋏片２０に対して回動することで、第１鋏片１０と第２鋏片２０から容易に分離することができ、また、容易に連結することができる。鋏を使用形態としたり収納形態としたりする作業が容易に行える。
【００４２】
（８）第１鋏片１０と第２鋏片２０が分離可能とされているため、第１鋏片１０の第１切断部１７や第２鋏片２０の第２切断部２７を研ぐ場合等の作業がしやすい。また、第１軸孔１８及び第２軸孔２８の周囲、つまり、第１鋏片１０と第２鋏片２０が重なった部分に汚れが付着した場合、その汚れを除去しやすい。
【００４３】
上記実施形態は、次のように変更できる。なお、上記実施形態及び以下の変更例は、技術的に矛盾しない範囲で互いに組み合わせて適用することができる。
・  収納形態における第１鋏片１０及び第２鋏片２０の移動を規制する係合構造は、第１把持部１１の第１面から突出する凸部４１と第２把持部２１に凹設された凹部４２の構成に限定されない。第１鋏片１０及び第２鋏片２０が回動部３０を中心として相対回動しないものであれば、その係合構造は特に限定されない。例えば、図５（ａ）及び図５（ｂ）に示すように、第２把持部２１の第１面２１ａ側における第２指掛孔２２の周縁部に、内方へ凹む凹部５２が形成されており、第１把持部１１の基端部に、第１面１１ａ側に傾斜するように曲げられた曲げ部５１が形成されていてもよい。こうした鋏であっても、図６に示すように、第１鋏片１０を裏返して第１鋏片１０の第１面１０ａと第２鋏片２０の第１面２０ａが対向するようにすればよい。このとき、第１把持部１１と第２把持部２１が回動部３０の軸方向に重なり合う収納形態とすると、第２指掛孔２２の周縁部に形成された凹部５２内に、第１把持部１１に形成された曲げ部５１が嵌まり込むようにして収容される。これにより、鋏の収納状態において、第１鋏片１０と第２鋏片２０の相対回動が規制される。
【００４４】
・  係合構造は、図７（ａ）及び図７（ｂ）に示すような形状であってもよい。図７（ａ）に示すように、第１鋏片１０の第１刃部１３における第１切断部１７と対向する側縁には、第１刃部１３の第１面１３ａに直交するような形状で第２面１３ｂ側に延びる係止部６０が形成されている。係止部６０は、第１刃部１３の第１面１３ａに直交する第１係止部６１と第１係止部６１の先端から第１刃部１３の第２面１３ｂに平行に延びる第２係止部６２とからなる断面Ｌ字状に形成されている。第１刃部１３の第２面１３ｂと第２係止部６２の上面との距離は、第２刃部２３の厚みよりわずかに大きく形成されている。
【００４５】
こうした鋏であっても、図７（ｂ）に示すように、回動部３０での締め付けを外して第２鋏片２０を裏返して、第１鋏片１０の第２面１０ｂと第２鋏片２０の第２面２０ｂが対向するようにすればよい。このとき、第１把持部１１と第２把持部２１が回動部３０の軸方向に重なり合う収納形態とすると、第２係止部６２と第１刃部１３の間に第２刃部２３が収納され、第２刃部２３の側縁が第１係止部６１に当接して、第１鋏片１０と第２鋏片２０の相対回動が規制される。
【００４６】
・  係合構造の他の例としては、例えば、第１鋏片１０及び第２鋏片２０の少なくともいずれか一方に帯片が取り付けられており、第１把持部１１と第２把持部２１が回動部３０の軸方向に重ねられた収納形態において、第１鋏片１０及び第２鋏片２０の周りに帯片を巻き付けてもよい。こうすることで、第１鋏片１０及び第２鋏片２０の移動が規制される。
【００４７】
・  係合構造の形成位置は特に限定されない。上記実施形態の凸部４１は、第１把持部１１の第１指掛孔１２の先端側に形成され、凹部４２は、第２把持部２１の第２指掛孔２２の先端側に形成されているが、凸部４１と凹部４２の形成位置はこれに限定されない。第１把持部１１の基端側と第２把持部２１の基端側であってもよく、第１刃部１３及び第２刃部２３の先端側と基端側の中間部の部分であってもよい。同様に、図５（ａ）及び図５（ｂ）に示す曲げ部５１は、第１把持部１１の基端部以外の位置に形成されていてもよい。この場合、収納状態で曲げ部５１に対向する第２鋏片２０の所定位置に、凹部４２が形成されていればよい。また、図７（ａ）及び図７（ｂ）に示す係止部６０が、第１鋏片１０ではなく、第２鋏片２０に設けられていてもよい。係止部６０は、第１鋏片１０の第１刃部１３ではなく、第１鋏片１０の第１把持部１１や、第２鋏片２０の第２把持部２１に設けられていてもよい。収納状態に置ける第１鋏片１０及び第２鋏片２０の移動を規制することができれば、係合構造の形成位置は特に限定されない。
【００４８】
・  係合構造は、一つの鋏に１箇所のみ設けられているものではなく、複数箇所にも売られているものであってもよい。例えば、凸部４１及び凹部４２が１箇所でなく、２箇所以上の複数箇所に設けられていてもよい。
【００４９】
・  上記実施形態では、係合構造の凸部４１は、略円柱形状とされ、第１把持部１１の第１面１１ａから約０．５〜２．０ｍｍ程度の突出長とされている。また、凹部４２は、凸部４１と同形状であり、その大きさは、凸部４１より僅かに大きく形成されている。凸部４１及び凹部４２の形状及び大きさはこれに限定されない。凸部４１と凹部４２が係合して、第１鋏片１０と第２鋏片２０の移動が規制されるものであればよい。また、凸部４１と凹部４２の形状及び大きさの少なくともいずれかが互いに異なっていてもよい。
【００５０】
・  掛合構造の凸部４１は、表面が曲面状の略半球状であってもよい。また、凹部４２は、内面が曲面状の略半球状であってもよい。こうした形状であると、第１鋏片１０の第１軸孔１８に第２鋏片２０に取り付けられた回動部３０の頭部３１を挿入して回動する際、凸部４１と凹部４２が係合しやすい。
【００５１】
・  回動部３０の構造は上記実施形態のものに限定されない。例えば、図５（ａ）及び図５（ｂ）に示すように、ボルト３５及びナット３６によって構成されていてもよい。ボルト３５を第１鋏片１０の第１面１０ａ側から第１軸孔１８内に挿入し、第２鋏片２０の第２面２０ｂ側に突出した先端にナット３６を締め付けてもよい。この場合、ナット３６を外してボルト３５を第１軸孔１８及び第２軸孔２８から取り外し、第１鋏片１０を裏返して、再度ボルト３５とナット３６で連結すればよい。
【００５２】
また、ボルト３５とナット３６で連結されている場合、収納形態では、ボルト３５及びナット３６により第１鋏片１０及び第２鋏片２０が連結されていなくてもよい。第１鋏片１０及び第２鋏片２０が回動部３０（ボルト３５及びナット３６）で連結されていない場合であっても、例えば、帯片を巻き付けることによって、第１鋏片１０及び第２鋏片２０の移動が規制される。或いは、図７に示すような係止部６０が複数箇所に形成されていることにより第１鋏片１０及び第２鋏片２０の移動が規制されていてもよい。この場合、第１把持部１１及び第２把持部２１が回動部３０（ボルト３５及びナット３６）の軸方向に重なった状態とされた収納形態とは、第１把持部１１及び第２把持部２１が、回動部３０が挿入される第１軸孔１８及び第２軸孔２８の開口方向に重なった状態を言うものとする。
【００５３】
・  係合構造は、回動を規制するものに限らず、第１把持部１１と第２把持部２１が回動部３０の軸方向に重なった状態を維持し、第１鋏片１０から第２鋏片２０が移動することを規制するものであればよい。その係合構造は、収納状態で第１鋏片１０及び第２鋏片２０が相対移動しない構造であればその形状は特に限定されない。
【００５４】
・  収納形態は、第１把持部１１と第２把持部２１が回動部３０の軸方向に重なっている形態であれば、第１鋏片１０の第１面１０ａと第２鋏片２０の第１面２０ａが対向しているものではなく、使用形態と同様に、第１刃部１３の第２面１３ｂと第２刃部２３の第１面２３ａが対向していてもよい。
【００５５】
・  上記実施形態では、第１軸孔１８は、長方形部分１８ａと、長方形部分１８ａの長手方向中間部の円形部分１８ｂが重なった形状とされていた。しかし、第１軸孔１８の形状はこれに限定されない。第１鋏片１０が第２鋏片２０に対して抜け止め不能で回動可能に連結される形状であればよい。
【００５６】
本実施形態から把握できる技術的思想について以下に記載する。
（イ）第１把持部及び第１刃部を有する第１鋏片と第２把持部及び第２刃部を有する第２鋏片が回動部で連結された鋏であって、前記第１鋏片は前記第２鋏片と分離可能に構成され、前記第１刃部の第２面と前記第２刃部の第１面が対向する使用形態と、前記第１刃部の第１面と前記第２刃部の第１面が対向するとともに前記第１把持部及び前記第２把持部が前記回動部の軸方向に重なった状態とされる収納形態とに変更可能であり、前記収納形態において、前記第１鋏片及び前記第２鋏片の移動を規制する係合構造が設けられている。
【００５７】
この（イ）に記載の発明によれば、鋏の幅寸法は第１鋏片或いは第２鋏片の幅寸法と略同一である。使用形態の鋏に比べて鋏の幅寸法が小さくなり、鋏全体をコンパクト化することができる。収納性に優れた鋏が得られる。
【００５８】
（ロ）第１把持部及び第１刃部を有する第１鋏片と第２把持部及び第２刃部を有する第２鋏片が回動部で連結された鋏であって、前記第１鋏片は前記第２鋏片と分離可能に構成され、前記第１把持部及び前記第２把持部が前記回動部の軸方向に重なった状態とされた収納形態において、前記第１鋏片及び前記第２鋏片の移動を規制する係合構造が設けられており、前記係合構造は、前記第１把持部及び前記第２把持部のいずれか一方の指掛孔の周縁部に設けられた凹部と、他方が曲げられてなる曲げ部である。
【００５９】
この（ロ）に記載の発明によれば、一方の把持部の指掛孔の周縁部に設けられた凹部と、他方の把持部が曲げられてなる曲げ部との係合により、第１鋏片及び第２鋏片を回動を規制することができる。簡単な構成で、収納形態を維持することができる。
【００６０】
（ハ）第１把持部及び第１刃部を有する第１鋏片と第２把持部及び第２刃部を有する第２鋏片が回動部で連結された鋏であって、前記第１鋏片は前記第２鋏片と分離可能に構成され、前記第１把持部及び前記第２把持部が前記回動部の軸方向に重なった状態とされた収納形態において、前記第１鋏片及び前記第２鋏片の移動を規制する係合構造が設けられており、前記係合構造は、前記第１鋏片及び前記第２鋏片の少なくともいずれか一方に設けられた帯片である。
【００６１】
この（ハ）に記載の発明によれば、収納形態の鋏に帯片を巻き付けることで、第１鋏片と第２鋏片の相対移動を規制することができる。簡単な構成で、収納形態を維持することができる。
【符号の説明】
【００６２】
１０…第１鋏片、１１…第１把持部、１２…第１指掛孔、１３…第１刃部、１４…第１先端側平坦部、１５…第１基端側平坦部、１６…第１傾斜部、１７…第１切断部、１８…第１軸孔、２０…第２鋏片、２１…第２把持部、２２…第２指掛孔、２３…第２刃部、２４…第２先端側平坦部、２５…第２基端側平坦部、２６…第２傾斜部、２７…第２切断部、２８…第２軸孔、３０…回動部、４１…凸部（係合構造）、４２…凹部（係合構造）、５１…曲げ部（係合構造）、５２…凹部（係合構造）、６０…係止部（係合構造）。
【図１】
2019180938.tif 000003
【図２】
2019180938.tif 000004
【図３】
2019180938.tif 000005
【図４】
2019180938.tif 000006
【図５】
2019180938.tif 000007
【図６】
2019180938.tif 000008
【図７】
2019180938.tif 000009